(57)【要約】【課題】定量的な測定をすることができる動揺度測定装置を提供する。【解決手段】動揺度測定装置は、口腔内を撮影する撮影部を本体の先端部の表面に有する口腔内カメラ２によって、歯牙を揺動させる揺動部材３と共に撮影された少なくとも２枚の歯牙の画像から所定の基準位置の移動距離を算出する処理を行い、前記算出した移動距離を動揺度として測定する画像処理手段１０を備える。【選択図】図２
2019072269.tif 000002
【特許請求の範囲】
【請求項１】
口腔内を撮影する撮影部を本体の先端部の表面に有する口腔内カメラによって、歯牙を揺動させる揺動部材と共に撮影された少なくとも２枚の歯牙の画像から所定の基準位置の移動距離を算出する処理を行い、前記算出した移動距離を動揺度として測定する画像処理手段を備えることを特徴とする動揺度測定装置。
【請求項２】
前記所定の基準位置は、前記揺動部材で保持した歯牙以外の組織に設定される請求項１に記載の動揺度測定装置。
【請求項３】
前記口腔内カメラと、前記揺動部材と、をさらに備え、
前記揺動部材は、前記口腔内カメラと連結する連結部を有する請求項１または請求項２に記載の動揺度測定装置。
【請求項４】
前記揺動部材は、前記撮影部の撮影方向に対向して前記口腔内カメラを支持するように配置された状態で前記連結部によって前記口腔内カメラと連結され、
前記揺動部材は、前記連結部から前記撮影部が配置された側に延出して歯牙に当接する当接部を備える請求項３に記載の動揺度測定装置。
【請求項５】
前記当接部は、ピンセットである請求項４に記載の動揺度測定装置。
【請求項６】
前記口腔内カメラで撮影された画像を表示する表示装置をさらに備える請求項１から請求項５のいずれか一項に記載の動揺度測定装置。
【請求項７】
コンピュータを、請求項１に記載の動揺度測定装置として機能させるための動揺度測定プログラム。
【請求項８】
請求項７に記載の動揺度測定プログラムを記録したコンピュータ読み取り可能な記録媒体。
【発明の詳細な説明】
【技術分野】
【０００１】
本発明は、動揺度測定装置、動揺度測定プログラムおよび記録媒体に関する。
【背景技術】
【０００２】
現在の歯科治療では、歯周ポケットの深さを測ることによって歯周病の進行度を診断している。歯周ポケットの深さを測る６点法では、１本の歯につき、歯の頬側および舌側の近心・中央・遠心の６点を測定する。つまり、６点法を、ある患者の例えば２４本の歯牙に対して実施すると、１４４点もの測定が必要となる。そして、出血による二次感染のリスクや、測定の痛み、診療時間の長さなど、歯科医師、衛生士、および患者への大きな負担となっている。
【０００３】
また、歯科医師は、例えばピンセットを用いて経験的な力加減で歯を手動で揺らすことによって歯の動揺度を検査し、歯周病の治癒の度合いについて判断している。このとき、歯科医師は、歯の揺れを目視で観察し、動揺度の測定結果を、大、中、小、無のいずれの分類にあてはめまるのかを主観的に判断している。
【０００４】
従来、例えば赤、黄、青、白の４色によって動揺度が認識できるような動揺度測定器（特許文献１）や、４個のＬＥＤを有してＬＥＤの点灯数で動揺度が認識できるような動揺度測定装置（特許文献２）が知られている。
【先行技術文献】
【特許文献】
【０００５】
【特許文献１】特許第３６２５０３５号公報
【特許文献２】特許第３６２０９７９号公報
【発明の概要】
【発明が解決しようとする課題】
【０００６】
しかしながら、従来技術では、動揺度の分類が粗く、定量的な測定をすることができなかった。したがって、従来の動揺度の測定結果だけでは、例えば治癒の程度等を定量的に認識することができなかった。
【０００７】
そこで本発明は、前記問題点に鑑みてなされたものであり、定量的な測定をすることができる動揺度測定装置、動揺度測定プログラムおよび記録媒体を提供することを課題とする。
【課題を解決するための手段】
【０００８】
前記課題を解決するため、本発明に係る動揺度測定装置は、口腔内を撮影する撮影部を本体の先端部の表面に有する口腔内カメラによって、歯牙を揺動させる揺動部材と共に撮影された少なくとも２枚の歯牙の画像から所定の基準位置の移動距離を算出する処理を行い、前記算出した移動距離を動揺度として測定する画像処理手段を備えることを特徴とする。
【発明の効果】
【０００９】
本発明に係る動揺度測定装置、動揺度測定プログラムおよび記録媒体によれば、定量的な測定をすることができる。
【図面の簡単な説明】
【００１０】
【図１】本発明の実施形態に係る動揺度測定装置の全体構成を示す模式図である。
【図２】本発明の実施形態に係る動揺度測定装置の構成を模式的に示すブロック図である。
【図３】口腔内カメラと揺動部材を分解して示す分解斜視図である。
【図４】歯牙を揺動する様子の一例を示す模式図である。
【図５】歯牙を揺動する様子の他の例を示す模式図である。
【図６】歯牙を揺動する前に撮影された画像例を示す模式図である。
【図７】歯牙を揺動した後に撮影された画像例を示す模式図である。
【図８】本発明の実施形態に係る動揺度測定装置の変形例を示す模式図である。
【発明を実施するための形態】
【００１１】
以下、図面を参照して本発明の実施形態に係る動揺度測定装置について詳細に説明する。
【００１２】
まず、システム構成例について図１を参照して説明する。図１に示すように、動揺度測定装置１は、口腔内カメラ２と、揺動部材３と、演算装置４と、を主に備えている。
口腔内カメラ２は、公知の歯科用の口腔内カメラであり、口腔内の歯牙Ｔ等を撮影する。口腔内カメラとしては、従来種々の製品が市販され、概ね次のような特長を有している。例えば、（１）全長が２００ｍｍ以下であり、操作者が鉛筆を持つのと同じようにして掴むことができる。（２）カメラレンズの周りに複数の照明用ＬＥＤを備え、数ミリメートルの撮影距離で撮影可能である。（３）横１０２４画素×縦７６８画素等の高解像度の静止画像を撮影するモードや、所定解像度の動画を撮影するモード等を有する。（４）口腔内カメラで撮影された画像を表示する動作プログラムが附属ソフトウェアとしてセットで販売されている。
動揺度測定装置１において、口腔内カメラ２として、このような市販品を採用することができる。以下では、口腔内カメラ２は、一例として、歯牙Ｔの静止画を撮影するものとして説明する。
【００１３】
図１に示す動揺度測定装置１においては、口腔内カメラ２に揺動部材３が取り付けられている。揺動部材３は歯牙Ｔを保持して揺動させる部材である。揺動部材３は、滅菌できる器具であり、例えば、ステンレス鋼等によって形成されている。
また、口腔内カメラ２は、演算装置４と通信可能に接続されている。なお、図１には、口腔内カメラ２と演算装置４とをＵＳＢ接続する通信ケーブルを表示したが、有線通信に限らず、無線通信であっても構わない。無線通信の場合、口腔内カメラ２は、例えば充電可能なバッテリを搭載する。
【００１４】
演算装置４は、例えば、一般的なコンピュータで実現することができ、ＣＰＵ（Central Processing Unit）と、ＲＡＭ（Random Access Memory）と、ＲＯＭ（Read Only Memory）と、ＨＤＤ（Hard Disk Drive）と、入力／出力インタフェースとを含んで構成されている。このコンピュータには、口腔内カメラ２で撮影された画像を表示する動作プログラム（附属ソフトウェア）や、撮影画像に所定の画像処理を施して動揺度を測定する動作プログラムがインストールされている。また、演算装置４と表示装置５とは、ノート型パーソナルコンピュータとして一体的に構成されている。
以下、各部の詳細について説明する。
【００１５】
演算装置４は、図２に示すように、画像処理手段１０を備えている。
画像処理手段１０は、口腔内カメラ２によって、揺動部材３と共に撮影された少なくとも２枚の歯牙の画像から所定の基準位置の移動距離を算出する処理を行い、この算出した移動距離を動揺度として測定するものである。口腔内カメラ２と揺動部材３とを分解した分解斜視図を図３に示す。また、歯牙Ｔを揺動する様子の模式図を図４〜図７に示す。また、以下の説明では、図４〜図７に示すように測定対象の歯牙をＴ１、その両隣の歯牙をＴ０，Ｔ１と表記し、特に区別しない場合、単にＴと表記する。
【００１６】
画像処理手段１０は、例えば、記憶部に格納されたプログラム（撮影画像に所定の画像処理を施して動揺度を測定する動作プログラム）をＣＰＵがＲＡＭに展開し実行することにより実現される。ここでは、図２に示すように、画像処理手段１０は、画像切出手段１１と、画像特徴抽出手段１２と、移動量算出手段１３と、を備えている。
【００１７】
画像切出手段１１は、口腔内カメラ２で撮影された画像を入力し、入力された画像から、その一部である所定エリアの画像を切り出して、切り出した画像を画像特徴抽出手段１２に出力する。一般的な口腔内カメラで撮影された静止画像は、数十万画素の高画質である。画像切出手段１１は、撮影画像中で測定対象が配置されたエリアが一部であることから、その測定対象が配置されたエリアを切り出す。画像を切り出すための所定エリアは、予め設定しておいてもよいし、操作者によって、その都度設定できるようにしてもよい。
【００１８】
所定エリア内には、移動量を算出するために設定される所定の基準位置（以下、単に基準位置という）が含まれる。ここでは、揺動部材３で保持した歯牙Ｔ１以外の組織に基準位置を設定しておくものとする。基準位置の設定箇所は、対象とする歯牙Ｔ１の一方の側に隣接する歯牙Ｔ０や、対象とする歯牙Ｔ１の他方の側に隣接する歯牙Ｔ２であってもよい。その場合、歯牙Ｔ０，Ｔ２に詰め物や被せ物があれば、詰め物や被せ物に基準位置を設定してもよい。
【００１９】
図４〜図７に示すように、操作者は、揺動部材３で歯牙Ｔ１を保持し、口腔内カメラ２ごと歯牙Ｔ１を揺らす。静止中であっても揺らしているときであっても、口腔内カメラ２の撮影部２３に対して歯牙Ｔ１が固定された位置で撮影される。これにより、揺動部材３で保持した歯牙Ｔ１以外の組織が動いて写る。歯牙Ｔ１以外の組織に基準位置を予め設定しておくことで、例えば、揺動前の歯牙Ｔの画像と、動くところまで一方向に揺動した後の歯牙Ｔの画像と、の２枚の画像間において、基準位置が動くため、基準位置の移動量を定量的に数値化することができる。
【００２０】
図２に戻って、画像処理手段１０の説明を続ける。
画像切出手段１１は、必須構成ではないが、口腔内カメラ２で撮影された画像全体を対象として画像処理する場合に比べて、処理速度を向上させたり、ＣＰＵ等の処理負荷を低減させたりすることができることから、備えることが好ましい。
【００２１】
画像特徴抽出手段１２は、画像切出手段１１によって切り出された画像から画像特徴量を抽出し、抽出した画像特徴量を移動量算出手段１３に出力する。
画像特徴抽出手段１２は、例えば、入力画像から局所的な特徴点やエッジを検出する。画像特徴抽出手段１２には公知のフィルタ処理やエッジ検出オペレータ等を用いることができる。画像特徴抽出手段１２には、移動量を算出するために所定の基準位置が設定されている。画像特徴抽出手段１２は、例えば、歯牙Ｔを揺動する前に撮影された画像における基準位置と、揺動した後に撮影された画像における基準位置と、の差分を、画像特徴量として抽出する。
【００２２】
図６は、歯牙Ｔを揺動する前に撮影された画像の一例を示す。図７は、歯牙Ｔを動くところまで一方向に揺動した後に撮影された画像の一例を示す。２枚の撮影画像は、それぞれの画像に写った歯牙Ｔ１の位置が重なる。よって、揺動部材３で保持した歯牙Ｔ１以外の組織として、例えば歯牙Ｔ０に基準位置を設定しておけば、歯牙Ｔ１を揺動する前に撮影された画像における基準位置と、揺動した後に撮影された画像における基準位置と、の差分を抽出することができる。
【００２３】
図２に戻って、画像処理手段１０の説明を続ける。
移動量算出手段１３は、画像特徴抽出手段１２によって抽出された画像特徴量から、基準位置の移動量を算出する。算出された移動量は、動揺度として表示装置５に表示される。
動揺度測定装置１において、図１に示すように口腔内カメラ２に揺動部材３が取り付けられている。そして、揺動部材３が歯牙Ｔに当接したときの歯牙Ｔの咬合面から口腔内カメラ２までの距離は予め分かっており、事前校正により、撮影画像の長さ（画素数）と実空間上の距離とが対応付けられている。これにより、移動量算出手段１３は、例えば、歯牙Ｔを揺動する前後に取得されたそれぞれの基準位置の画像上における差分を、実空間上の長さに換算する。
【００２４】
ここで、通常、歯牙Ｔの動揺度の検査では、歯牙を一方向に動くところまで動かし、その後、反対方向に動くところまで動かしている。このようにして、両方向にまたがる全振幅の長さを測定している。
一方、動揺度測定装置１においては、例えば、歯牙を動かす前に撮影した画像を取得し、歯牙を一方向に動くところまで動かした後に撮影した画像を取得する。このため、この場合、歯牙Ｔを揺動する前後に取得されたそれぞれの基準位置の画像は、片方向の振幅の長さを反映している。そこで、移動量算出手段１３は、基準位置の画像上における差分から算出した実空間上の長さを２倍することで、動揺度の判定に対応した長さとして、最終的な実空間上の移動量を算出する。
【００２５】
具体的には、移動量算出手段１３は、基準位置の画像上における差分から実空間上の長さとして例えば０．６ｍｍを求めた場合、それを２倍して、１．２ｍｍを移動量として算出する。同様に、移動量算出手段１３は、基準位置の画像上における差分から実空間上の長さとして例えば０．８ｍｍを求めた場合、それを２倍して、１．６ｍｍを移動量として算出する。このようにすることで、動揺度が１．６ｍｍから１．２ｍｍに改善したことを定量的に表現することができる。
【００２６】
前記したように、従来、歯の動揺度の測定結果は、大、中、小、無のいずれかに分類されている（ミラーの分類）。
「無」は、臨床では０度と呼ばれ、ほとんど動かない場合、または、生理的にしか動かない場合（０．２ｍｍ未満）とされている。
「小」は、臨床では１度と呼ばれ、０．２〜１ｍｍの動きがあり、唇舌方向に動く場合とされている。
「中」は、臨床では２度と呼ばれ、１．０〜２ｍｍの動きがあり、唇舌方向・近遠方向に動く場合とされている。
「大」は、臨床では３度と呼ばれ、２ｍｍ以上の動きがあり、唇舌方向・近遠方向・垂直方向に動く場合とされている。
移動量算出手段１３は、実空間上の長さで移動量を算出するので、操作者である歯科医師は、測定結果を直感的にミラーの分類にあてはめることができる。さらに、操作者は、動揺度を実空間上の長さで定量的に把握することができる。
【００２７】
また、ここでは、図１および図２に示すように、動揺度測定装置１は、口腔内カメラ２で撮影された画像を表示する表示装置５を備えている。表示装置５は、画像を表示するものであり、例えば、液晶ディスプレイ等から構成される。表示装置５には、様々な画面やウィンドウが表示され、撮影画像や、ユーザ入力画面や測定結果等が表示される。
これにより、動揺度測定装置１は、目視に比べて拡大された撮影画像を表示装置５に表示することができる。そのため、操作者である歯科医師は、表示装置５を介して揺動前後の動きを確認することで、感覚的に揺動部材３を動かす力の加減を認識し易くなる。
【００２８】
図３に示すように、口腔内カメラ２は、例えば、本体２１と、本体２１の先端側に接続された先端部２２と、先端部２２の表面に設けられた撮影部２３と、本体２１の所定位置に設けられた操作部２４と、を備えている。
本体２１は、回路基板等を内蔵した円筒形の部材である。本体２１の外周面は、操作者が操作部２４を操作する際に把持するグリップとしても機能する。
【００２９】
先端部２２は、本体２１よりも小径の円筒形の部材であり、カメラヘッドとして機能する。なお、本体２１の先端側は、先端部２２に滑らかに接続するようなテーパー形状となっている。このテーパー形状となっている部分から、先端部２２の基端側の部分にかけての外周面は、操作者が鉛筆を持つのと同じようにして掴むことができる。
【００３０】
撮影部２３は、患者の口腔内に挿入されて口腔内を撮影する部位である。撮影部２３は、カメラレンズや撮像素子を備えると共に、カメラレンズの周囲にＬＥＤ等の複数の照明装置を備えている。
操作部２４は、手元で撮影を行うためのボタンやモード切替ボタンを含んでいる。
【００３１】
図３に示すように、揺動部材３は、例えば、本体部３１と、連結部３２と、当接部３３と、把持部３４と、を備えている。本体部３１は、例えばピンセット状に形成されている。
連結部３２は、本体部３１の基端側に設けられ、口腔内カメラ２と連結するための部材である。連結部３２は、口腔内カメラ２の先端部２２に対して、この揺動部材３を着脱自在（交換可能）に構成されている。連結部３２は、中空の円筒を略半円の筒になるように切断した形状で形成されている。
【００３２】
連結部３２は、口腔内カメラ２の先端部２２を略半円の筒で挟む際に、バネの力で挟むように構成してもよい。または、連結部３２は、口腔内カメラ２の先端部２２の端部からスライドしながら挿入されて先端部２２に嵌合して固定されるように構成してもよい。
【００３３】
揺動部材３は、撮影部２３の撮影方向に対向して口腔内カメラ２を支持するように配置された状態で連結部３２によって口腔内カメラ２と連結されている。
揺動部材３は、撮影画像の中央に映った歯牙を機械的に保持できるような口腔内カメラ２の部位に連結部３２で取り付けられている。すなわち、図４および図５に示すように、上から撮影対象の歯牙Ｔ１を撮影することができるように取り付けられている。
【００３４】
これにより、図４に示すように、揺動部材３が当接する歯牙Ｔ１に対して、歯牙Ｔ１の咬合面を撮影部２３が撮影できるように口腔内カメラ２を歯牙Ｔ１に対して固定することができる。また、歯牙Ｔ１と共に撮影部２３が揺動するので、揺動前後において歯牙Ｔ１が同じ位置に写るような画像を撮影することができる。このとき、歯牙Ｔ１以外の組織に基準位置を設定しておくので、背景画像中の基準位置について、揺動前後における差分を算出することができる。
【００３５】
動揺度測定装置１は、揺動部材３を介して小さな歯牙Ｔを、相対的に大きな口腔内カメラ２の動きに連動させることができるので、細かな作業を効率よく行うことができるようになる。
【００３６】
当接部３３は、本体部３１の先端側に設けられ、連結部３２から本体部３１が配置された側（撮影部２３が配置された側）に延出して歯牙に当接する部位である。当接部３３は、歯牙Ｔを揺らせることができるように構成されている。
【００３７】
ここでは、当接部３３が、ピンセットであることとしている。これにより、揺動部材３の当接部３３は、図４に示すように、歯牙Ｔ１を挟持して強固に固定することで、歯牙Ｔ１を安定的に揺動させることができる。
【００３８】
また、当接部３３は、歯牙Ｔ１を挟持することなく、歯牙Ｔ１を保持することも可能である。図５に示すように、ピンセットを閉じた状態で当接部３３を歯牙Ｔの咬合面に押し当てることで、歯牙Ｔ１を揺動可能に保持することもできる。この手法は、歯牙が臼歯であるときに特に有効である。
【００３９】
把持部３４は、当接部３３の開閉動作をするときに把持する部位であり、例えば、本体部３１の前方に配置されている。
【００４０】
撮影する際に、揺動部材３の当接部３３を、図４に示すように歯牙Ｔに当接させることにより、手振れを防止すると共に、口腔内カメラ２を安定した状態に支持させることができる。この揺動部材３は、撮影後、新品あるいは滅菌した揺動部材３と交換することにより、揺動部材３を常に清潔な状態にすることができる。
【００４１】
以上説明したように、動揺度測定装置１は、測定対象となる歯牙Ｔ１の撮影画像を画像処理することで、例えば歯牙Ｔ１の揺動前後にそれぞれ写っている基準位置の移動距離を算出することができる。これにより、歯牙が揺動部材３によってどれだけ動かされたかを定量的に求めることができる。したがって、動揺度測定装置１は、動揺度を精度よく測定することができる。
また、動揺度測定装置１によって歯の動揺度を定量的に測定した結果は、診断に用いることができる。例えば、歯周疾患の治療において、治癒の度合いを簡便に定量評価できる。このように簡便に定量的な歯の動揺度測定ができるようになるため、苦痛の少ない迅速な診療が提供可能となる。
【００４２】
（変形例１）
本発明は前記した実施形態に限定されるものではなく、種々の変形が可能である。また、以下のように変形してもよい。例えば、動揺度測定装置１の構成は図１に示したように口腔内カメラ２や揺動部材３を含んで実現することも可能であるし、口腔内カメラ２や揺動部材３を含まずに演算装置４で実現することも可能である。また、一般的なコンピュータを、動揺度測定装置として機能させる動揺度測定プログラムにより動作させることで実現することも可能である。このプログラムは、通信回線を介して提供することも可能であるし、ＣＤ−ＲＯＭ等の記録媒体に書き込んで配布することも可能である。この記録媒体を装着されたコンピュータが、この記録媒体に記録された動揺度測定プログラムに基づいた各機能を実現することができる。
また、演算装置４と表示装置５とは、ノート型パーソナルコンピュータとして一体的に構成されているものとしたが、タブレット端末やスマートフォンで構成してもよい。また、演算装置４と表示装置５とを分離して、デスクトップ型やタワー型のコンピュータで構成してもよい。
【００４３】
（変形例２）
前記実施形態では、揺動部材３の当接部３３がピンセットであるものとして説明したが、当接部３３の形状はこれに限らない。
当接部は、把持部３４をつまんだときに開き、把持部３４を手放すと閉じるような逆動作のピンセットであっても構わない。また、揺動部材３において把持部３４の位置は、本体部３１の前側に限らず、本体部３１の後側であってもよい。
当接部３３および把持部３４は、例えばネクタイピンの留め具のようにバネの力で挟む構造であっても構わない。
【００４４】
（変形例３）
前記実施形態では、揺動部材３の当接部３３が、開閉可能なピンセットであるものとして説明したが、開閉可能でなくても構わない。当接部は、例えば、棒状で先端が丸くなっている形状、すなわちピン形状でもよい。
【００４５】
（変形例４）
前記実施形態では、揺動部材３で保持した歯牙Ｔ１以外の組織に基準位置を設定しておくものとして説明したが、基準位置の設定箇所はこれに限らない。
例えば、揺動部材３で保持した歯牙Ｔ１に基準位置を設定してもよい。その場合、歯牙Ｔ１に詰め物や被せ物があれば、それでもよい。また、歯牙Ｔ１に接触している揺動部材３の当接部３３に基準位置を設定してもよい。
【００４６】
これらの場合、歯牙Ｔ１の揺動前後のそれぞれの撮影画像においては、当接部３３や歯牙Ｔ１の位置に変化はなく、歯牙Ｔ１以外の組織の画像（背景）が変化している。
そこで、背景の側を画像処理により固定させ、相対的に、撮影画像では位置の変化のない歯牙Ｔ１の位置が変化して見えるように画像処理を行う。
例えば撮影画像の各画素値を所定の閾値と比較することで、２値化画像を生成する処理を行うことで、歯牙Ｔ１や当接部３３に対応する画像オブジェクトとその背景画像とを分離できる。これにより、背景の位置が固定された画像上で、歯牙Ｔ１を保持する当接部３３の位置の変化を判別することができる。そのため、当接部３３の移動量を定量的に数値化することができる。この値を動揺度の定量評価値としてもよい。
【００４７】
（変形例５）
前記実施形態では、対象となる歯牙の静止画を画像処理するものとして説明したが、動画であっても構わない。
揺動部材３で歯牙Ｔ１を保持し、口腔内カメラ２ごと歯牙Ｔ１を揺らすことにより、歯牙Ｔ１は撮影された映像中で常に固定された位置で映る。このとき、固定した歯牙Ｔ１以外の組織が動いて映ることになる。ここで、例えば、背景の側を画像処理により固定させ、相対的に、撮影された映像では静止していた歯牙Ｔ１が動いて見えるように、動画を構成するフレーム画像の移動処理を行う。例えば２値化処理を行うことで、歯牙Ｔ１や当接部３３に対応する画像オブジェクトとその背景画像とを分離できる。これにより、背景の位置が固定された画像上で、歯牙Ｔ１を保持する当接部３３の位置の変化を判別することができる。このとき、連続する２枚の画像から基準位置の移動方向および移動距離を算出する処理を、歯牙Ｔ１を揺動する前の画像から、歯牙Ｔ１を揺動した後の画像にかけて順次行い、それらの総和を求める。結果として、連続する例えば数十枚の画像から、基準位置の最終的な移動距離を算出する。なお、動画において２枚の連続画像から移動体（画像オブジェクト）を抽出し、抽出した画像オブジェクトを追跡することにより、その移動距離を算出する方法は特に限定されず、例えば公知の動画解析ソフトウェアを用いてもよい。そして、歯牙Ｔ１に接触している揺動部材３の当接部３３に基準位置を設定しておくことで、画像オブジェクトに対応する当接部３３の移動量を定量的に数値化することができる。この値を動揺度の定量評価値としてもよい。
あるいは、背景の側を固定させる画像処理を行わずに、例えば、歯牙Ｔ１以外の組織に基準位置を設定しておくことで、画像オブジェクトに対応する基準位置の移動量を定量的に数値化することもできる。この値を動揺度の定量評価値としてもよい。
このように動画を表示装置５に表示させることで、操作者である歯科医師は、動揺度を感覚的に確認できる。
【００４８】
（変形例６）
前記実施形態では、対象となる歯牙Ｔ１を保持する揺動部材３と、口腔内カメラ２とを一体的に動かすものとして説明したが、歯牙を揺動する揺動部材と、口腔内カメラ２とを分離して別々に動かしても構わない。
図８は、本発明の実施形態に係る動揺度測定装置の変形例を示す模式図である。
図８に示す固定部材５０は、口腔内カメラ２を口腔内に固定するための部材であり、口腔内カメラ２の先端部に脱着可能に構成されている。この例では、撮影に際して、口腔内カメラ２の先端部に嵌入された固定部材５０が、測定対象の歯牙に隣接する２つの歯牙を跨ぐようにこれらの歯牙にそれぞれ固定されている。固定部材５０は、測定対象の歯牙の周囲で基準位置を設定可能な他の歯牙等が口腔内カメラ２で撮影可能であれば、その形状やサイズは適宜設計変更することができる。固定部材５０は、例えば滅菌可能な部材からなる。
【００４９】
また、図８に示す揺動部材６０は、例えば棒状で先端が丸くなっている形状の部材である。揺動部材６０は、例えば滅菌可能な部材からなる。揺動部材６０は、歯科医師が治療に用いる一般的なピンセット等でも構わない。
この変形例においても、揺動部材６０で揺動する歯牙以外の組織に基準位置を設定しておけばよい。この場合、揺動前後のそれぞれの撮影画像においては、固定部材５０が固定された２つの歯牙の位置に変化はなく、揺動された歯牙の位置、または、揺動部材６０の位置の変化を判別することができる。そのため、揺動部材６０の移動量を定量的に数値化することができる。この値を動揺度の定量評価値としてもよい。
【００５０】
（変形例７）
前記実施形態では、歯牙Ｔを揺動する前後にそれぞれ撮影された画像を画像処理するものとして説明したが、揺動した後の画像だけを用いても構わない。
例えば、歯牙を動かす前に当該歯牙を撮影せずに、歯牙を一方向に動くところまで動かした後に撮影した画像を取得した後、歯牙を反対方向に動くところまで動かした後に撮影した画像を取得する。この場合、歯牙Ｔを一方向および反対方向に動かした後に取得されたそれぞれの基準位置の画像は、両方向にまたがる全振幅の長さを反映している。そのため、移動量算出手段１３は、基準位置の画像上における差分から算出した実空間上の長さを２倍することなく、そのまま、動揺度の判定に対応した長さとして、最終的な実空間上の移動量とする。これによれば、歯牙の一方向の揺れ幅と、歯牙の反対方向の揺れ幅とが大きく異なる場合、動揺度の測定結果の精度が向上する。
【００５１】
（変形例８）
前記実施形態では、歯牙Ｔを揺動するときの基準位置を、歯牙または詰め物や被せ物に設定することとして説明したが、これに限らない。例えば、歯牙や口腔内の組織と区別し易いような色を有した人体に無害のマーカを歯牙の近傍に配置してもよい。また、基準位置を設定するための基準点の代用となる微小な点状のマーカや、基準線の代用となる微小な線状のマーカでもよい。マーカは、表面の光反射性が高く滅菌できる素材で構成されることが好ましい。例えば歯科医師が一方の手で把持するスティックの先端に点状のマーカを装着し、このマーカを歯牙の近傍に配置し、歯科医師が他方の手で把持した口腔内カメラ２を操作するようにしてよい。
【符号の説明】
【００５２】
１      動揺度測定装置
２      口腔内カメラ
３，６０  揺動部材
４      演算装置
５      表示装置
１０    画像処理手段
１１    画像切出手段
１２    画像特徴抽出手段
１３    移動量算出手段
２３    撮影部
３２    連結部
３３    当接部
５０    固定部材
【図１】
2019072269.tif 000003
【図２】
2019072269.tif 000004
【図３】
2019072269.tif 000005
【図４】
2019072269.tif 000006
【図５】
2019072269.tif 000007
【図６】
2019072269.tif 000008
【図７】
2019072269.tif 000009
【図８】
2019072269.tif 000010